【手続補正書】
【提出日】平成19年4月9日(2007.4.9)
【手続補正１】
【補正対象書類名】明細書
【補正対象項目名】特許請求の範囲
【補正方法】変更
【補正の内容】
【特許請求の範囲】
【請求項１】  シート(１・１)間に複数の収容物(２)を挟み、前記シート(１・１)にそれぞれ摘み代部(３)となる領域を残した状態で、個々の収容物(２)を囲むようにシール部(４，…)を設けることにより複数の袋部(５，…)を形成し、一つの袋部(５)とその袋部(５)用の摘み代部(３)を備えた個別包装体(16，…)を個々に切り離せるようにシート上(１・１)に切離し線(17，…)を形成し、個別包装体(16，…)の摘み代部(３)内に前記切離し線(17，…)に沿って摘み代部(３)の剥がれ防止用シール部(18，…)を形成しておき、前記切離し線(17，…)に沿って個別包装体(16)を切り離したときに、その個別包装体(16)のシール部(４)と摘み代部(３)の境界線(21)上の点から垂線(22，…)をたてた場合に、摘み代部外縁(３ａ)により切り取られる垂線(22，…)の最大の長さが１０ｍｍ以上の領域(23)を有するように前記摘み代部(３)の形状を設定したことを特徴とする、ピール性包装体。
【請求項２】  前記請求項１に記載のピール性包装体において、前記袋部(５)は未シール領域(６)内に収容物(２)を収めており、前記切離し線(17，…)に沿って切り離した個別包装体(16)の前記摘み代部(３)を持って引っ張ることにより、シール部(４)を引き剥がして袋部(５)内の収容物(２)を取り出せるようにし、袋部(５)の後部にいくにしたがって、未シール領域(６)が徐々に先が狭い形状となるように前記シール部(４)の形状が構成してあることを特徴とする、ピール性包装体。
【請求項３】  前記請求項１又は請求項２に記載のピール性包装体において、前記袋部(５)の所定位置以後のピール強度を、それ以前のシール部(４)のピール強度よりも大きく設定したことを特徴とするピール性包装体。
【請求項４】  前記請求項１から３のいずれか１項に記載のピール性包装体において、上記摘み代部(３)の先端部から上記剥がれ防止用シール部(18，…)までの長さ(Ｋ)を、所定長さ以上に設定したことを特徴とする、ピール性包装体。
【請求項５】  前記請求項１から４のいずれか１項に記載のピール性包装体において、上記剥がれ防止用シール部(18，…)のシール強度を弱く設定したことを特徴とする、ピール性包装体。
【手続補正２】
【補正対象書類名】明細書
【補正対象項目名】０００６
【補正方法】変更
【補正の内容】
【０００６】
【課題を解決するための手段】
本発明のピール性包装体を、例えば、本発明の実施の形態を示す図１から図１２に基づいて説明すると、次のように構成したものである。
第１発明は、シート(１・１)間に複数の収容物(２)を挟み、前記シート(１・１)にそれぞれ摘み代部(３)となる領域を残した状態で、個々の収容物(２)を囲むようにシール部(４，…)を設けることにより複数の袋部(５，…)を形成し、一つの袋部(５)とその袋部(５)用の摘み代部(３)を備えた個別包装体(16，…)を個々に切り離せるようにシート上(１・１)に切離し線(17，…)を形成し、個別包装体(16，…)の摘み代部(３)内に前記切離し線(17，…)に沿って摘み代部(３)の剥がれ防止用シール部(18，…)を形成しておき、前記切離し線(17，…)に沿って個別包装体(16)を切り離したときに、その個別包装体(16)のシール部(４)と摘み代部(３)の境界線(21)上の点から垂線(22，…)をたてた場合に、摘み代部外縁(３ａ)により切り取られる垂線(22，…)の最大の長さが１０ｍｍ以上の領域(23)を有するように前記摘み代部(３)の形状を設定したことを特徴とする。
【手続補正３】
【補正対象書類名】明細書
【補正対象項目名】０００７
【補正方法】変更
【補正の内容】
【０００７】
第２発明は、前記袋部(５)が未シール領域(６)内に収容物(２)を収めており、前記切離し線(17，…)に沿って切り離した個別包装体(16)の前記摘み代部(３)を持って引っ張ることにより、シール部(４)を引き剥がして袋部(５)内の収容物(２)を取り出せるようにし、袋部(５)の後部にいくにしたがって、未シール領域(６)が徐々に先が狭い形状となるように前記シール部(４)の形状が構成してあることを特徴とする。
第３発明は、前記袋部(５)の所定位置以後のピール強度を、それ以前のシール部(４)のピール強度よりも大きく設定したことを特徴とする。
【手続補正４】
【補正対象書類名】明細書
【補正対象項目名】０００８
【補正方法】変更
【補正の内容】
【０００８】
第４発明は、上記摘み代部(３)の先端部から上記剥がれ防止用シール部(18，…)までの長さ(Ｋ)を、所定長さ以上に設定したことを特徴とする。
第５発明は、上記剥がれ防止用シール部(18，…)のシール強度を弱く設定したことを特徴とする。
【手続補正５】
【補正対象書類名】明細書
【補正対象項目名】０００９
【補正方法】変更
【補正の内容】
【０００９】
ここで、上記第１発明〜第５発明についてさらに説明する。
第１発明は、リウマチ患者など指先の細かい動きが難しい患者にとっては、指先で摘み代部をつまむ動作に比べて、図２に示すように親指と人差し指の側面同士（親指を動かせない人では人差し指と中指の側面同士）で挟む動作の方が簡単であるということに着眼してなされたものであり、さらにピール性包装体を連設型にして、摘み代部内に切離し線に沿って剥がれ防止用シール部を形成すると、複数個まとめて保管する場合又は携帯する場合に使い勝手のよいうえ、摘み代部が動くことによるシール部の剥がれを防止できることに着目してなされたものである。
第１発明において、前記した１０ｍｍ以上の領域は、１００ｍｍ以下であることが好ましい。
【手続補正６】
【補正対象書類名】明細書
【補正対象項目名】００１０
【補正方法】変更
【補正の内容】
【００１０】
第１発明において、「前記シール部(４)と摘み代部(３)の境界線(21)上の点から垂線(22，…)をたてた場合に、摘み代部外縁(３ａ)により切り取られる垂線(22，…)の最大の長さが１０ｍｍ以上の領域(23)を有するように前記摘み代部(３)の形状を設定する」ということを、例えば、図６で説明すれば、シール部(４)と摘み代部(３)の境界線(21)上の点Ｐ1〜点Ｐnにおいて、その各点において境界線(21)と直交する垂線(221)〜(22n)を考えた場合に、点Ｐi〜点Ｐkと摘み代部外縁(３ａ)との間において切り取られる垂線(22i)〜(22k)の長さ(Ｍ)が１０ｍｍ以上となれば、その点Ｐi〜点Ｐkの間の垂線(22i)〜(22k)を含む領域(23)が摘み代部(３)として機能できるということである。
【手続補正７】
【補正対象書類名】明細書
【補正対象項目名】００１１
【補正方法】変更
【補正の内容】
【００１１】
要するに図２のようにシール部(４)を引き剥がすことによりピール性包装体を開封する動作において、患者が、特に意識することなく摘み代部(３)をつまんだときに、図２の動作を実質的に行える１０ｍｍ以上の長さの領域(23)が摘み代部(３)にあるということである。但し、予め想定する、シール部の開封方向（図６において矢印(24)で示す）を考慮して、前記摘み代部(３)の領域(23)を配置した方が開封操作が行いやすくなる。なお、図１に示すように、シール部(４)の摘み代部側の部分が尖った先端部(９ａ)となっている場合は、その先端部(９ａ)を僅かに丸めた状態で垂線を想定すればよい。
【手続補正８】
【補正対象書類名】明細書
【補正対象項目名】００１７
【補正方法】変更
【補正の内容】
【００１７】
また、第２発明の構成に加えて、シール部(４)の後部に行くにしたがってシール部(４)の面積を大きくするように構成すれば、以下の利点がある。
まず、従来のコ字形シール部(30)であれば、図１１(Ｄ)に示すように、コ字形シール部(30)の底辺(31)に達するとシール部(４)の面積が急激に増加するので、底辺(31)の位置で急に引き剥がし操作が止まることになる。このとき、シート(１・１)はストレスを受け、上下に振動しやすくなり、錠剤(２)は落ちやすくなる。
これに対して、図１１(Ａ)(Ｂ)に示す後Ｖ字形シール部(11)であれば、Ｖ字の底点(32)に達するまで、徐々にシール部(４)の面積が増えていくので、引き剥がし操作を続けるには徐々に大きな力が必要になり、引き剥がし速度は自然に低下していく。したがって、シール部(４)の開封操作の終了時にゆっくりとしたシート(１・１)の動きが確保されることになり、錠剤(２)が飛出る恐れが小さくなる。
なお、第２発明は、袋部(５)の後部においてシール部(４)の面積が大きくならない構成を除くものではない。
図１２は袋部(５)の後部においてシール部(４)の面積が大きくならない構成の一例を示す図であり、シール部(４)の面積、即ち、この場合で言えばシール部(４)の幅Ｗ＝Ｗ１＋Ｗ２は、シール部(４)の後部において一定になっている。そして、袋部(５)が全開する位置(35)以後に横帯状に分離防止シール部(36)が形成してある。図１２ではシール部(４)と分離防止シール部(36)は隔離しているが、必要に応じて連続させてもよい。なお、シール部(４)は袋部(５)を構成するために設けるものであるのに対して、分離防止シール部(36)は袋部(５)の全開後に２枚のシート(１・１)が離れてしまわないように設けるものである。
この構成であれば、上記開封の速度が徐々に遅くなる効果は得ることができないが、シート(１・１)の膨らみ(29)が解消される過程で錠剤(２)が不安定になることを抑制できる効果はある。
また、第２発明に加えて第３発明を採用した構成では、未シール領域が徐々に先が狭い形状となっているので、図７に示すようにシール部の引き剥がし中に先が狭い窪み部(13)が形成される。
そのような先が狭い窪み部(13)の形状としては、図７(Ａ)に示すように底の浅い円錐に似た形状、図７(Ｂ)に示すように底の浅い角錐に似た形状、図７(Ｃ)に示すような寄せ棟形の屋根に似た形状が例示できる。
なお、第４発明において上記所定長さとは、指先の不自由な人でも剥がれ防止用シール部を容易に開封できる長さをいう。
【手続補正９】
【補正対象書類名】明細書
【補正対象項目名】００１８
【補正方法】変更
【補正の内容】
【００１８】
【作用及び効果】
第１発明であれば、前記切離し線に沿って個別包装体をそれぞれ切り離した後に、摘み代部をつまんで剥がれ防止用シール部をはがす。その後、シール部を引き剥がすことにより袋部を開封して収容物を取り出す。このとき、前記１０ｍｍ以上の領域を有するように摘み代部の形状を設定したことにより、親指と人差し指の間、人差し指と中指の間など、指の側面間において摘み代部を挟むことができるようになるので、リウマチ患者など、指先で物を摘まむことの難しい、指の不自由な人でも、特に負担をかけることなく、ピール性包装体を簡単に開封することができる。
なお、切離し線により個別包装体をそれぞれ切り離す処理と、摘み代部をつまんで剥がれ防止用シール部をはがす処理は、患者にピール性包装体を提供する前に、例えば、病院側で行ってもよく、また、患者自身が行ってもよい。
さらに、この第１発明であれば、複数のピール性包装体をまとまった状態で保持できるので携帯性が良くなる利点がある。また、剥がれ防止用シール部を設けているので、摘み代部が動くことによりシール部が剥がれたりすることを防止できる。さらに、前記切離し線に沿って剥がれ防止用シール部を形成するようにしたので製造時において切離し線を形成する場合に、シートの動きを抑制して切離し線の形成処理を行いやすくすることができる。
【手続補正１０】
【補正対象書類名】明細書
【補正対象項目名】００２１
【補正方法】変更
【補正の内容】
【００２１】
第４発明であれば、上記摘み代部の先端部から上記剥がれ防止用シール部までの長さを所定長さ以上に設定してあるので、指先の不自由な人でも剥がれ防止用シール部を容易に開封することができる。
第５発明であれば、上記剥がれ防止用シール部のシール強度を弱く設定してあるので、指先の不自由な人でも剥がれ防止用シール部を容易に開封することができる。
【手続補正１１】
【補正対象書類名】明細書
【補正対象項目名】００２２
【補正方法】変更
【補正の内容】
【００２２】
【実施の形態】
以下、本発明の実施の形態を図面に基づき説明する。
図１(Ａ)は本発明の第１実施形態を示し、後述する連設型包装体の切離し線に沿って切り離した後さらに剥れ防止用シール部を剥がした状態の、個別の薬剤包装体を示す斜視図であり、図１(Ｂ）はその使用状態の一例を示す図である。
この薬剤包装体は、一対の矩形状シート(１・１)間に少なくとも１個の錠剤(２)を挟み、前記シート(１・１)にそれぞれ摘み代部(３)を残した状態で、前記錠剤(２)の周囲を囲むようにシール部(４)を設けることにより錠剤(２)を収容する袋部(５)を形成してある。
この実施形態では、各シート(１・１)として、透明な耐熱性基材フィルムにピール性樹脂フィルムを積層したシートが使用してある。なお、必ずしも各シート(１・１)の両方にピール性樹脂フィルムを積層する必要はなく、各シート(１・１)の少なくとも一方がピール性樹脂フィルムを含んでおれば、本発明のピール性包装体を構成できる。
【手続補正１２】
【補正対象書類名】明細書
【補正対象項目名】００３１
【補正方法】変更
【補正の内容】
【００３１】
図４はこの発明の第２実施形態を説明するための個別薬剤包装体の正面図である。
この第２実施形態が第１実施形態と異なる点は、袋部(５)の容積を大きくして５〜８個程度の錠剤(２)を収容できるようにした点と、袋部(５)の未シート領域(６)を扇状に形成した点である。つまり、この第２実施形態ではシール部(４)に第１実施形態のような平行シール部(10)は存在せず、前Ｖ字形シール部(９)と後Ｖ字形シール部(11)とが直接に接続した構成になっている。また、前記窪み部(13)を形成するための後Ｖ字形シール部(11)の先が広い形状は曲線形にしてある。なお、図４に示す薬剤包装体の袋部(５)の面積は大きいものでは２５ｃｍ2になる。
【手続補正１３】
【補正対象書類名】明細書
【補正対象項目名】００３２
【補正方法】変更
【補正の内容】
【００３２】
図５(Ａ)(Ｂ)はそれぞれこの発明の第３実施形態を示す個別薬剤包装体の斜視図、図５(Ｃ)は第４実施形態を説明するための個別薬剤包装体の斜視図である。
これらの第３、第４実施形態はいずれも第１実施形態の摘み代部(３)を変形させたものであり、第３実施形態は各摘み代部(３)の先部域を左右に互い違いになるように切り欠いて、その切り欠いたシート(１ａ・１ａ)により、各摘み代部(３)を指間で挟む場合に扱いやすくしてある。即ち、２枚のシート(１ａ・１ａ)がぴったり引っ付いた場合には、各シート(１ａ)を指間に挟むことが難しいが、この第３実施形態ではそのような不都合はなくなる。また、図５(Ｂ)に示す構成では、各摘み代部(３)の先部域を左右に互い違いになるように切り欠いていることでは同じであるが、前Ｖ字形シール部(９)の二つの斜辺(25・25)から垂線(22)をたてた場合に、その垂線(22)が摘み代部外縁(３ａ)により切り取られる長さ(Ｍ)が１０ｍｍ以上になる領域を含むように摘み代部(３)を構成してある。
第４実施形態は、各摘み代部(３)に所定形状の開口(14)を設けておき、その開口(14)に指先を引っかけることで２つのシート(１・１)を扱いやすくしたものである。また、患者の指先の状態によっては、各開口(14)に指先を通した状態で各シート(１)を引っ張ることもできる。
【手続補正１４】
【補正対象書類名】明細書
【補正対象項目名】００３４
【補正方法】変更
【補正の内容】
【００３４】
このように切離し線(17，…)に沿って剥がれ防止用シール部(18，…)を形成することにより、連設型包装体(15)の製造時に切離し線(17，…)が形成しやすくなる。これは、切離し線(17)として通常、ミシン目が採用されるが、シール部(４)を形成した後にミシン目を形成することになるので、剥がれ防止用シール部(18)を形成しておくと、摘み代部(３)となるシートの部分が動かないので、ミシン目の形成が行いやすくなるためである。
さらに、連設型包装体(15)の摘み代部(３)に剥がれ防止用シール部(18)を形成することにより、連設型包装体(15)の保管時に摘み代部(３)が折れたり、捩れたりすることを抑制することができる利点もある。
また、個別包装体(16)の摘み代部(３)の先端部から剥がれ防止用シール部(18)までの長さ(Ｋ)は、指先の不自由な人でも剥がれ防止用シール部(18)を開封できるような長さ、例えば、１０ｍｍ以上に設定することが好ましく、剥がれ防止用シール部(18)のシール強度は弱く設定しておくことが好ましい。なお、切り離し線(17)により個別包装体(16)を切り離した後、さらに剥がれ防止用シール部(18)を剥がした状態では、個別包装体(16)の全体構成は図１に示す構成とほぼ同じになるように構成してある。
【手続補正１５】
【補正対象書類名】明細書
【補正対象項目名】００３５
【補正方法】変更
【補正の内容】
【００３５】
図９はこの発明の第６実施形態を説明するための連設型包装体の正面図である。
この第６実施形態が前記第５実施形態と比べて特徴的な点は、切離し線(17)の一方側にのみ、剥がれ防止用シール部(18)を設けることにより、切離し線(17)で切り離した個別包装体(16)が、剥がれ防止用シール部(18)の横にある領域(23)をつまんで開くことができるようにした点である。この実施形態でも摘み代部(３)となるシートの部分が動かない効果が得られるとともに、剥がれ防止用シール部(18)を引き剥がすために、個別包装体(16)の摘み代部(３)の先端部から剥がれ防止用シール部(18)までの長さ(Ｋ)（図８参照）を設ける必要がなくなり、よりコンパクトにすることができる。
【手続補正１６】
【補正対象書類名】明細書
【補正対象項目名】図１
【補正方法】変更
【補正の内容】
【図１】
図１(Ａ)(Ｂ)はそれぞれ本発明の第１実施形態を示す、連設型包装体から切り離した後さらに剥れ防止用シール部を剥がした状態の、個別のピール性包装体の斜視図である。
【手続補正１７】
【補正対象書類名】明細書
【補正対象項目名】図４
【補正方法】変更
【補正の内容】
【図４】
図４は本発明の第２実施形態を示す、連設型包装体から切り離した個別薬剤包装体の正面図である。
【手続補正１８】
【補正対象書類名】明細書
【補正対象項目名】図５
【補正方法】変更
【補正の内容】
【図５】
図５(Ａ)(Ｂ)はそれぞれ本発明の第３実施形態を示す個別薬剤包装体の斜視図、図５(Ｃ)は第４実施形態を示す個別薬剤包装体の斜視図である。